(57)【要約】【課題】寒暖の条件に適したメニューを提供する飲食施設を案内することが可能な飲食施設案内システム、飲食施設案内装置、飲食施設案内方法、及びコンピュータプログラムを提供する。【解決手段】飲食施設の検索を受け付ける入力操作部１２と、外気温を取得する外部情報取得部２０と、飲食施設及び該飲食施設で提供されるメニューの情報を施設データベース２２２から取得する情報取得部と、外部情報取得部２０で取得した外気温に基づいて該飲食施設が提供するメニューを検索する検索処理部１７と、検索処理部１７で検索したメニューを提供する飲食施設を表示部に表示させる表示制御部１９を備える。【選択図】図１
2019100934.tif 000002
【特許請求の範囲】
【請求項１】
ユーザ端末と、前記ユーザ端末と通信が可能なサーバ装置とを備え、前記ユーザ端末に飲食施設情報を提供する飲食施設案内システムにおいて、
前記ユーザ端末は、
飲食施設の検索を受け付ける入力操作部と、
表示部に情報を表示させる表示制御部と、を備え、
前記ユーザ端末、及び前記サーバ装置のいずれかは、
外気温を取得する外部情報取得部と、
飲食施設及び該飲食施設で提供されるメニューの情報を記憶する情報記憶部と、
前記外部情報取得部で取得した外気温に基づいて該飲食施設が提供するメニューを前記情報記憶部が記憶する情報から検索する検索処理部と、
を備え、
前記表示制御部は、前記検索処理部で検索したメニューを提供する飲食施設を、前記表示部に表示させること、
を特徴とする飲食施設案内システム。
【請求項２】
前記表示制御部は、前記飲食施設に加えて、該飲食施設で提供する外気温に応じて検索されたメニューを前記表示部に表示させること
を特徴とする請求項１に記載の飲食施設案内システム。
【請求項３】
前記外部情報取得部は、外気温に基づいて日毎の外気温の変動情報を生成し、
前記検索処理部は、前記外気温の変動情報に基づいたメニューをを検索すること
を特徴とする請求項１または２に記載の飲食施設案内システム。
【請求項４】
前記外部情報取得部は、前記外気温に加えて現在の季節の情報を取得し、
前記検索処理部は、季節が冬季である場合には、暖かいメニューを検索し、更に、季節が冬季でない場合でも、前記変動情報に基づき、外気温が予め設定した第１の閾値温度以上低下した場合には、暖かいメニューを検索すること
を特徴とする請求項３に記載の飲食施設案内システム。
【請求項５】
前記外部情報取得部は、前記外気温に加えて現在の季節の情報を取得し、
前記検索処理部は、季節が夏季である場合には、冷たいメニューを検索し、更に、季節が夏季でない場合でも、前記変動情報に基づき、外気温が予め設定した第２の閾値温度以上上昇した場合には、冷たいメニューを検索すること
を特徴とする請求項３に記載の飲食施設案内システム。
【請求項６】
飲食施設の検索を受け付ける入力操作部と、
外気温を取得する外部情報取得部と、
飲食施設及び該飲食施設で提供されるメニューの情報を取得する情報取得部と、
前記外部情報取得部で取得した外気温に基づいて該飲食施設が提供するメニューを前記情報取得部が取得する情報から検索する検索処理部と、
前記検索処理部で検索したメニューを提供する飲食施設を表示部に表示させる表示制御部と、
を備えることを特徴とする飲食施設案内装置。
【請求項７】
飲食施設の検索を受け付けるステップと、
外気温を取得するステップと、
前記飲食施設が提供するメニューのうち、取得した外気温に基づいたメニューを検索するステップと、
検索したメニューを提供する飲食施設の情報を表示するステップと、
を備えることを特徴とする飲食施設案内方法。
【請求項８】
飲食施設の検索を受け付けるステップと、
外気温を取得するステップと、
前記飲食施設が提供するメニューのうち、取得した外気温に基づいたメニューを検索するステップと、
検索したメニューを提供する飲食施設の情報を表示するステップと、
をコンピュータに実行させることを特徴とするコンピュータプログラム。
【発明の詳細な説明】
【技術分野】
【０００１】
本発明は、食事施設に関する情報を提供する飲食施設案内システム、飲食施設案内装置、飲食施設案内方法、及びコンピュータプログラムに係り、特に、季節や外気温などの寒暖の条件に適したメニューを提供する食事施設を案内する技術に関する。
【背景技術】
【０００２】
例えば、車両に搭載されるナビゲーション装置では、目的地までの経路案内の画像をディスプレイ等に表示すると共に、経路近隣に存在するレストラン等の食事施設を表示することにより、乗員の利便性を高めることが行われている。
【０００３】
このような食事施設を表示するナビゲーション装置の従来例として、例えば、特許文献１に記載されたものが知られている。特許文献１では、提供する時刻に応じて提供する食事施設を限定することにより、例えば朝食の時間帯にはファストフード店等を表示し、フランス料理のレストランが食事施設として表示されないようにしている。
【先行技術文献】
【特許文献】
【０００４】
【特許文献１】特開２００７−１０５７３号公報
【発明の概要】
【発明が解決しようとする課題】
【０００５】
しかしながら、上述した特許文献１では、時刻に応じて提供する食事施設を設定するものであり、気温の寒暖に応じて提供する食事施設を変更するものではない。例えば、気温が低い場合には、暖かい食事メニューを提供する飲食施設が提供されることが望まれ、反対に、気温が高い場合には、冷たい食事メニューを提供する飲食施設が提供されることが望まれる。
【０００６】
本発明は、このような従来の課題を解決するためになされたものであり、その目的とするところは、寒暖の条件に適したメニューを提供する飲食施設を案内することが可能な飲食施設案内システム、飲食施設案内装置、飲食施設案内方法、及びコンピュータプログラムを提供することにある。
【課題を解決するための手段】
【０００７】
上記目的を達成するため、本発明に係る飲食施設案内システムは、ユーザ端末と、前記ユーザ端末と通信が可能なサーバ装置とを備え、前記ユーザ端末に飲食施設情報を提供する飲食施設案内システムにおいて、前記ユーザ端末は、飲食施設の検索を受け付ける入力操作部と、表示部に情報を表示させる表示制御部と、を備え、前記ユーザ端末、及び前記サーバ装置のいずれかは、外気温を取得する外部情報取得部と、飲食施設及び該飲食施設で提供されるメニューの情報を記憶する情報記憶部と、前記外部情報取得部で取得した外気温に基づいて該飲食施設が提供するメニューを前記情報記憶部が記憶する情報から検索する検索処理部と、を備え、前記表示制御部は、前記検索処理部で検索したメニューを提供する飲食施設を、表示部に表示させること、を特徴とする。
【０００８】
本発明に係る飲食施設案内装置は、飲食施設の検索を受け付ける入力操作部と、外気温を取得する外部情報取得部と、飲食施設及び該飲食施設で提供されるメニューの情報を取得する情報取得部と、前記外部情報取得部で取得した外気温に基づいて該飲食施設が提供するメニューを前記情報取得部が取得する情報から検索する検索処理部と、前記検索処理部で検索したメニューを提供する飲食施設を表示部に表示させる表示制御部と、を備えることを特徴とする。
【０００９】
本発明に係る飲食施設案内方法は、飲食施設の検索を受け付けるステップと、外気温を取得するステップと、前記飲食施設が提供するメニューのうち、取得した外気温に基づいたメニューを検索するステップと、検索したメニューを提供する飲食施設の情報を表示するステップと、を備えることを特徴とする。
【００１０】
本発明に係るコンピュータプログラムは、飲食施設の検索を受け付けるステップと、外気温を取得するステップと、前記飲食施設が提供するメニューのうち、取得した外気温に基づいたメニューを検索するステップと、検索したメニューを提供する飲食施設の情報を表示するステップと、をコンピュータに実行させることを特徴とするコンピュータプログラムである。
【発明の効果】
【００１１】
本発明によれば、寒暖の条件に適したメニューを提供する飲食施設を案内することが可能となる。
【図面の簡単な説明】
【００１２】
【図１】図１は、本発明の第１、第２実施形態に係る飲食施設案内システムの構成を示すブロック図である。
【図２】図２は、過去１週間の平均気温の変化を示すグラフである。
【図３】図３は、過去１週間の平均気温の変化を示すグラフである。
【図４】図４は、本発明の第１実施形態に係る飲食施設案内システムの処理手順を示すフローチャートである。
【図５】図５は、経路案内用の地図に、検索したメニューを提供する飲食施設を表示する例を示す説明図である。
【図６】図６は、経路案内用の地図に、検索したメニュー、及びこれを提供する飲食施設を表示する例を示す説明図である。
【図７】図７は、経路案内用の地図に、検索したメニュー、及びこれを提供する飲食施設を表示する例を示す説明図である。
【図８】図８は、本発明の第２実施形態に係る飲食施設案内システムの処理手順を示すフローチャートである。
【図９】図９は、本発明の第３実施形態に係る飲食施設案内装置としてのナビゲーション装置の構成を示すブロック図である。
【発明を実施するための形態】
【００１３】
以下、本発明の実施形態を図面に基づいて説明する。
[第１実施形態の説明]
図１は、本発明の第１実施形態に係る飲食施設案内システムの構成を示すブロック図である。なお、本発明で示す「飲食施設」とは、レストラン、食事処、居酒屋、ラーメン店、ファストフード店など、食事、酒類を提供する施設を指す。
【００１４】
図１に示すように、本実施形態に係る飲食施設案内システム１００は、車両に搭載されるか或いはユーザが携帯するユーザ端末１と、該ユーザ端末１との間でネットワーク３を介して通信が可能であるサーバ装置２を備えている。
【００１５】
サーバ装置２は、飲食施設情報を提供するサービス事業者などが管理するサーバであり、設置形態、設置台数等は任意であり、機能が分散していてもよい。サーバ装置２は、ネットワーク３を介してユーザ端末１と通信する通信部２１と、データベース２２を備えている。データベース２２も、単一のサーバ装置２が記憶しているデータベースに限らず、分散していてもよい。データベース２２は、地図データベース２２１と、施設データベース２２２（情報記憶部）と、メニューデータベース２２３（情報記憶部）を備えている。地図データベース２２１は、経路案内等に用いる地図データを記憶している。施設データベース２２２は、飲食施設、商業施設、行楽施設、を含む各種の施設のデータを記憶している。メニューデータベース２２３は、施設データベース２２２に記憶されている各飲食施設に対応付けて、該飲食施設が提供するメニューのデータを記憶する。例えば、飲食施設である「〇〇飯店」に対して、その提供メニューが「ラーメン」、「チャーハン」、「冷やし中華」、「ざるそば」等であることが記憶されている。
【００１６】
車両に搭載されるユーザ端末１の例としては、車両の走行経路を案内するナビゲーション装置を挙げることができ、乗員が携帯するユーザ端末１の例として、スマートフォンを挙げることができる。また、ユーザ端末１は、パーソナルコンピュータなどの情報端末であってもよい。以下の実施形態では、ユーザ端末１がナビゲーション装置である場合について説明する。
【００１７】
ユーザ端末１は、ＧＰＳ信号を受信するＧＰＳ受信部１１と、入力操作部１２と、表示部１３と、制御部１４と、ネットワーク３を介してサーバ装置２と通信を行う通信部１５を備えている。
【００１８】
入力操作部１２は、車両の乗員等のユーザによる操作を行うものであり、各種スイッチ、タッチパネル、音声入力装置等を挙げることができる。
【００１９】
表示部１３は、例えば液晶ディスプレイ等であり、後述するように検索した飲食施設及びメニューを表示する。また、入力操作部１２と表示部１３を兼用して、タッチパネルとすることも可能である。タッチパネルとは、液晶パネル等の表示装置とタッチパッド等の位置入力装置を組み合わせた電子部品である。
【００２０】
制御部１４は、案内経路を探索するナビゲーション処理部１６と、検索処理部１７と、入力操作受付部１８と、表示制御部１９と、外部情報取得部２０を備えている。
【００２１】
外部情報取得部２０は、車両の外部などに設けられて外気温を検出する外気温センサ４１または外部情報源４２と接続されている。外部情報源４２は、例えば、各地域の気温情報、現在の季節の情報を提供する外部サーバなどであり、外部情報取得部２０は、車両の外気温、及び各地域の気温情報、季節情報を取得することができる。外部情報取得部２０は、気温情報を車両の外部などに設けられている外気温センサ４から取得してもよい。更に、外部情報取得部２０は、取得した外気温情報、各地域の気温情報を記憶する記憶部２０ａを有している。
【００２２】
更に、外部情報取得部２０は、日毎の平均気温の変動情報を生成して、記憶部２０ａに記憶する。例えば、図２、図３に示すように、記憶部２０ａは各地域の過去１週間分の平均気温を記憶する。なお、平均気温以外に、例えば最高気温としてもよい。
【００２３】
ナビゲーション処理部１６は、現在位置特定部１６１と、設定位置特定部１６２を備えている。現在位置特定部１６１は、ＧＰＳ１１受信部で取得されるＧＰＳ情報に基づき、車両の現在位置を特定する。これらは、ナビゲーション処理部１６が経路案内を行うための機能の一部分である。
【００２４】
設定位置特定部１６２は、入力操作部１２にて所望の位置が設定された際に、この設定位置を特定する。例えば、車両の現在位置ではなく、目的地周辺の情報を知りたいときに、該目的地の情報が入力されると、この目的地を設定位置として特定する。
【００２５】
入力操作受付部１８は、入力操作部１２で入力された操作指示を受け付ける。例えば、入力操作部１２より、飲食施設の検索指令が入力された場合には、この指令をナビゲーション処理部１６、検索処理部１７に出力する。
【００２６】
検索処理部１７は、入力操作受付部１８にて飲食施設の検索操作が入力された際に、現在位置特定部で特定される車両現在位置の周辺、或いは設定位置特定部１６２で特定された特定位置の周辺で飲食施設を検索する。具体的には、施設データベース２２２を参照して現在位置、或いは特定位置の周辺に存在する飲食施設を検索する。更に、外部情報取得部２０により、外気温センサ４１で検出される外気温情報、或いは外部情報源４２より取得される各地の気温情報、季節情報を取得する。そして、これらの情報に基づき、施設データベース２２２及びメニューデータベース２２３を参照して、ユーザに提供する適切なメニューを検索し、検索したメニューを提供する飲食施設を検索する。
【００２７】
表示制御部１９は、表示部１３に表示する画像を生成して表示部１３に出力する。例えば、現在地周辺の地図画像、及び検索処理部１７で検索されたメニューを提供する食事施設の位置を示す画像を生成して表示部１３に出力する。
【００２８】
なお、本実施形態に係る制御部１４は、ハードウエア的には、任意のコンピュータのＣＰＵ、メモリ、その他のＬＳＩで実現でき、ソフトウエア的にはメモリにロードされたプログラムなどによって実現される。ここではそれらの連携によって実現される機能ブロックを描いている。従って、これらの機能ブロックがハードウエアのみ、ソフトウエアのみ、またはそれらの組合せによっていろいろな形で実現できることは、当業者には理解されるところである。
【００２９】
［第１実施形態の作用の説明］
次に、上述のように構成された第１実施形態の作用を、図４に示すフローチャートを参照して説明する。
【００３０】
初期的には、ＧＰＳ受信部１１よりＧＰＳ信号を取得し、更に、現在位置特定部１６１により、車両の現在位置を特定する。更に、ナビゲーション処理部１６により、ネットワーク３を介して地図データベース２２１から車両周辺の地図データを取得し、またはユーザ端末１が記憶している地図データなど参照可能な地図データを取得し、表示部１３に地図を表示する。従って、車両の乗員は、表示部１３を見ることにより、車両周辺の地図を認識することができる。
【００３１】
図４のステップＳ１１において、入力操作受付部１８は、食事施設の検索操作が入力されたか否かを判断する。例えば、入力操作部１２がタッチパネルの場合には、検索対象の項目（行楽施設、食事施設、宿泊施設等）がタッチパネルに表示され、このうち、「食事施設」が選択された場合には、ステップＳ１２に処理を進める。また、「食事施設」以外の項目が選択された場合には、それぞれに対応するナビゲーション処理が行われる。従来より行われている処理であり、詳細な説明を省略する。
【００３２】
ステップＳ１２において、現在位置特定部１６１は、ＧＰＳ受信部１１で受信されるＧＰＳ信号に基づき、車両の現在位置を特定する。或いは、入力操作部１２で所望の位置（例えば、目的地）が設定された場合には、設定位置特定部１６２は、設定された位置を特定位置とする。
【００３３】
ステップＳ１３において、外部情報取得部２０は記憶部２０ａを参照し、特定された位置における過去３日間の平均気温の平均値が４℃以上変化しているか否かを判断する。
【００３４】
以下、図２、図３を参照して、平均気温の変動について詳細に説明する。現在が１０月７日であるとすると、図２に示すように、特定位置（現在地や目的地等）における過去１週間の平均気温のデータが記憶部２０ａに記憶されている。そして、１０月２日〜４日までの３日間の平均気温の平均値に対し、１０月５日〜７日までの３日間の平均気温の平均値は４℃（第１の閾値温度）以上上昇している。この場合には、ステップＳ１３において、ＹＥＳ判定となり、ステップＳ１４に処理を進める。
【００３５】
また、現在が８月２４日であるとすると、図３に示すように、特定位置（現在地や目的地等）における８月１９日〜２１日までの３日間の平均気温の平均値に対し、８月２２日〜２４日までの３日間の平均気温の平均値は４℃（第２の閾値温度）以上低下している。この場合についても、ステップＳ１３において、ＹＥＳ判定となり、ステップＳ１４に処理を進める。
【００３６】
一方、平均気温の平均値が４℃以上変化していない場合には、ステップＳ１３でＮＯ判定となり、ステップＳ１５に処理を進める。ステップＳ１５において、検索処理部１７は、メニューデータベース２２３を参照し、例えば季節に応じたメニューを検索し、このメニューを提供する飲食施設を検索する。
【００３７】
ステップＳ１４において、検索処理部１７は、気温変動に応じたメニューを提供する飲食施設を検索する。具体的には、図２に示したように平均気温の平均値が４℃以上上昇した場合には、乗員は季節に関わらず冷たいメニューを食べたくなることが多い。従って、検索処理部１７は、メニューデータベース２２３を参照し、例えば「冷やし中華」、「ざるそば」等の冷たいメニューを検索する。更に、施設データベース２２２を参照して上記の冷たいメニューを提供する飲食施設を検索する。
【００３８】
また、図３に示したように、平均気温の平均値が４℃以上低下した場合には、乗員は季節に関わらず暖かいメニューを食べたくなることが多い。従って、検索処理部１７は、メニューデータベース２２３を参照し、例えば「ラーメン」、「おでん」、「鍋料理」、「韓国料理」等の暖かいメニューを検索する。更に、施設データベース２２２を参照して上記の暖かいメニューを提供する飲食施設を検索する。
【００３９】
次いで、ステップＳ１６において、検索処理部１７は、ステップＳ１４またはＳ１５で、飲食施設が検索されたか否かを判断する。
【００４０】
そして、飲食施設が検索された場合には（ステップＳ１６でＹＥＳ）、ステップＳ１７において、表示制御部１９は、この飲食施設を地図画像上に表示する。その結果、例えば、気温の平均値が４℃以上上昇した場合には、図５に示すように、地図画像上に車両のアイコンＰ１を表示し、更に、冷たいメニューを提供する飲食施設として検索した「〇〇飯店」、「〇〇レストラン」等を表示部１３に表示する。従って、車両の乗員は、冷たいメニューを提供する飲食施設を容易に認識することができる。また、気温の平均値が４℃以上低下した場合には、暖かいメニューを提供する飲食施設を地図画像上に表示する。
【００４１】
一方、気温の平均値の変動が４℃未満の場合（ステップＳ１５の処理が実行された場合）には、地図画像上にその季節に応じたメニューを提供する飲食施設を表示部１３に表示する。
【００４２】
また、対象食事施設が検索されなかった場合には（ステップＳ１６でＮＯ）、ステップＳ１８において、表示制御部１９は通常の飲食施設（寒暖の変化や季節に関係のない飲食施設）を検索し表示する。そして本処理を終了する。
【００４３】
このようにして、本実施形態では、以下に示す効果を得ることができる。
（１）車両の現在地或いは設定された特定位置での外気温に基づいて、暖かいメニュー或いは冷たいメニューを提供する食事施設を地図画像上に表示することができる。従って、乗員が食べたいと思うメニューを提供する食事施設を乗員に提供することができ、乗員に対する利便性を向上させることができる。
【００４４】
（２）数日前の気温のデータを参照し、気温が所定温度以上上昇している場合には、冷たいメニュー提供する飲食施設を表示し、更に気温が所定温度以上低下している場合には、温かいメニューを提供する飲食施設を表示する。従って、気温の変動に応じた適切なメニューを表示することができ、乗員が食べたいと思うメニューを提供する飲食施設を適切に知らせることができる。
【００４５】
なお、第１実施形態では、過去３日間の平均気温の平均値が４℃（第１の閾値温度）以上上昇したときに冷たいメニューを提供する飲食施設を検索し、４℃（第２の閾値温度）以上低下したときに暖かいメニューを提供する飲食施設を検索する例について説明したが。本実施形態はこれに限らず、単に外気温を検出し、外気温が予め設定した上限閾値よりも高いときには冷たいメニューを検索し、外気温が予め設定した下限閾値よりも低いときには暖かいメニューを検出するようにしてもよい。
【００４６】
また、第１実施形態では、３日間の平均気温の平均値の変動を測定したが、本発明はこれに限定されず、例えば、２日間の平均気温を用いたり、最高気温を用いる等、種々の温度測定方法を採用することが可能である。
【００４７】
また、第１実施形態では、車両の現在地の外気温の情報に基づいて、飲食施設を検索する例について説明したが、例えば、入力操作部１２にて目的地を特定位置とすることにより、この特定位置の過去の気温の情報を外部情報源４２より取得し、温度変化に適したメニューを提供する食事施設を検索するようにしてもよい。
【００４８】
また、第１実施形態では、ユーザ端末１の例として車両に搭載されるナビゲーション装置を例に挙げて説明したが、例えば、乗員が所持するスマートフォンや可搬型のパソコン等とすることも可能である。このような可搬型とすることにより、例えば、車両に乗車する前に自宅で検索の操作を行うことができるので、目的地や途中の走行経路周辺の飲食施設を予め検索することが可能となる。
【００４９】
［第１実施形態の変形例の説明］
次に、第１実施形態の変形例について説明する。前述した第１実施形態では、暖かいメニューを提供する飲食施設、或いは冷たいメニューを提供する飲食施設を地図画像上に表示する例について説明した。
【００５０】
変形例では、飲食施設に加えて、検索した暖かいメニュー、或いは冷たいメニューの具体的な名称を表示部１３に表示する。例えば、図６に示すように地図画像上に車両のアイコンＰ１を表示し、更に、その周辺の飲食施設、及び該飲食施設が提供する暖かいメニューを表示する。例えば、「○○レストラン：おでん」、「△△レストラン：鍋料理」等を表示する。こうすることにより、車両の乗員は、暖かいメニュー（或いは、冷たいメニュー）を提供する飲食施設を知ることができるばかりでなく、この飲食施設が提供するメニューの具体的な情報を知ることができるので、より利便性を向上させることができる。
【００５１】
更に、図７に示すように、地図画像上には飲食施設の名称のみを表示し、表示部１３の画面側方に各飲食施設が提供するメニューを表示するようにしてもよい。このような構成においても、図６に示した例と同様に、乗員は飲食施設及びメニューに関する情報をより詳細に知らせることができる。
【００５２】
［第２実施形態の説明］
次に、本発明の第２実施形態について説明する。第２実施形態では、現在の季節を認識し、季節に応じて検索するメニューを変更する。例えば、季節が冬季以外（即ち、春、夏、秋）のときに、日毎の外気温が低下傾向にある場合に、温かいメニューを提供する飲食施設を検索する。或いは、季節が夏季以外（即ち、春、秋、冬）のときに、日毎の外気温が上昇傾向にある場合に、冷たいメニューを提供する飲食施設を検索する。システム構成は、前述した図１と同様であるので、構成説明を省略する。
【００５３】
以下、図８に示すフローチャートを参照して、第２実施形態に係る飲食施設案内システムの処理手順について説明する。ステップＳ３１、Ｓ３２は、図４に示したステップＳ１１、Ｓ１２と同様であるので、説明を省略する。
【００５４】
ステップＳ３３において、外部情報取得部２０は、記憶部２０ａを参照し特定された位置における過去３日間の平均気温の平均値が４℃以上変化しているか否かを判断する。そして、４℃以上低下している場合には、ステップＳ３４に処理を進め、４℃以上上昇している場合には、ステップＳ３５に処理を進める。また、変化が４℃未満である場合にはステップＳ３８に処理を進める。
【００５５】
ステップＳ３４において、外部情報取得部２０は、現在の季節が冬季以外であるか否かを判断する。本実施形態では、一例として３〜５月を「春」、６〜８月を「夏」、９〜１１月を「秋」、１２〜２月を「冬」と定義する。従って、ステップＳ３４では、現在の季節が冬季以外、即ち、３月〜１１月であるか否かを判断する。冬季以外である場合には、ステップＳ３６において、検索処理部１７は、温かいメニューを提供する食事施設を検索し、ステップＳ３９に処理を進める。冬季である場合には、ステップＳ３８に処理を進める。
【００５６】
ステップＳ３５において、外部情報取得部２０は、現在の季節が夏季以外であるか否かを判断する。即ち、９月〜翌年５月であるか否かを判断する。夏季以外である場合には、ステップＳ３７において、検索処理部１７は、冷たいメニューを提供する食事施設を検索し、ステップＳ３９に処理を進める。夏季である場合には、ステップＳ３８に処理を進める。
【００５７】
ステップＳ３８において、検索処理部１７は、メニューに関係なく車両の周辺に存在する飲食施設を検索する。
【００５８】
ステップＳ３９において、検索処理部１７は、検索された対象食事施設が有るか否かを判断する。
【００５９】
対象食事施設が存在する場合には、ステップＳ４０において、表示制御部１９は、対象食事施設を表示部１３に表示されている地図画像上に表示する。一方、対象食事施設が存在しない場合には、本処理を終了する。
【００６０】
このように、第２実施形態に係る食事施設案内システムでは、季節が冬季でなく、且つ温度が所定値以上低下した場合に限って暖かいメニューを検索する。また、季節が夏季でなく、且つ温度が所定値以上上昇した場合に限って冷たいメニューを検索する。
【００６１】
季節が冬季である場合には、そもそも気温が低いので、暖かいメニューを提供する飲食施設を優先的に表示することに大きなメリットはなく、むしろ暖かいか否かに関係のないメニューが提供された方が都合がよい。同様に、季節が夏季である場合には、そもそも気温が高いので、冷たいメニューを提供する飲食施設を優先的に表示することに大きなメリットはなく、むしろ冷たいか否かに関係のないメニューが提供された方が都合がよい。
【００６２】
第２実施形態では、季節が冬季でない場合に限って、気温が低下している場合に暖かいメニューを提供する飲食施設を表示するので、乗員の好みにあった飲食施設を適切に認識させることができる。同様に、季節が夏季でない場合に限って、気温が上昇している場合に冷たいメニューを提供する飲食施設を表示するので、乗員の好みにあった飲食施設を適切に認識させることができる。
【００６３】
［第３実施形態の説明］
次に、本発明の第３実施形態について説明する。図９は、第３実施形態に係る飲食施設案内装置としてのナビゲーション装置の構成を示すブロック図である。図９に示すように、第３実施形態に係るナビゲーション装置２００は、車両に搭載されるものであり、ＧＰＳ受信部１１と、入力操作部１２と、表示部１３と、制御部１４、及びデータベース２２を備えている。
【００６４】
即ち、第３実施形態に係るナビゲーション装置２００は、図１に示したユーザ端末１とサーバ装置２が有する構成要素を全て備え、これらを車両に搭載している。各構成要素は、図１に示した構成と同一であるので、同一符号を付して構成説明を省略する。図９に示すナビゲーション装置２００において、データベース２２を外部の記憶装置とする場合は、情報記憶部に代えて、制御部１４の機能として情報取得部を備える。
【００６５】
そして、第３実施形態に係るナビゲーション装置２００についても、前述した第１、第２実施形態と同様に、外気温センサ４１で検出される外気温の変動に基づいて、外気温が上昇する傾向にある場合には冷たいメニューを提供する飲食施設を検索し、外気温が低下する傾向にある場合には暖かいメニューを提供する飲食施設を検索する。そして、検索した飲食施設を、例えば図４に示したように地図画像上に表示する。
【００６６】
従って、前述した第１実施形態、第２実施形態と同様に、気温の変動に応じた適切なメニューを提供する飲食施設を表示することができる。また、サーバ装置２との通信が不要となるので、車両内への設置を容易に行うことが可能となる。
【００６７】
本発明の実施形態においては、外部情報取得部２０が取得する外部情報を、外気温や季節としたが、これらに加えて風力や風向情報を取得し、外気温に対して体感温度を算出してもよい。この場合、検索処理部１７は、外気温に代えて体感温度に基づいたメニューを検索する。
【００６８】
以上、本発明の実施形態を記載したが、この開示の一部をなす論述及び図面はこの発明を限定するものであると理解すべきではない。この開示から当業者には様々な代替実施の形態、実施例及び運用技術が明らかとなろう。
【符号の説明】
【００６９】
１    ユーザ端末
２    サーバ装置
３    ネットワーク
１１  ＧＰＳ受信部
１２  入力操作部
１３  表示部
１４  制御部
１５  通信部
１６  ナビゲーション処理部
１７  検索処理部
１８  入力操作受付部
１９  表示制御部
２０  外部情報取得部
２１  通信部
２２  データベース
４１  外気温センサ
４２  外部情報源
１６１  現在位置特定部
１６２  設定位置特定部
２００  ナビゲーション装置
２２１  地図データベース
２２２  施設データベース
２２３  メニューデータベース
【図１】
2019100934.tif 000003
【図２】
2019100934.tif 000004
【図３】
2019100934.tif 000005
【図４】
2019100934.tif 000006
【図５】
2019100934.tif 000007
【図６】
2019100934.tif 000008
【図７】
2019100934.tif 000009
【図８】
2019100934.tif 000010
【図９】
2019100934.tif 000011